(57)【要約】【課題】  ペーパー切断時にペーパーが切断歯近傍の当接面に貼り付いてしまうことがなく、次回のペーパー引出しの際にペーパー端部を摘み易いロールペーパーホルダーを提供する。【解決手段】  ロールペーパーの軸心を横にした状態で載置してペーパーを繰り出し可能としたロールペーパーホルダーであって、載置部は、壁面に沿って固定される固定部から前方に下り傾斜となる下降部と、この下降部の前方から上り傾斜となる上昇部と、前記下降部と前記上昇部との両側に形成された側壁部とを備え、前記下降部と前記上昇部との変曲位置にペーパーを引出すために幅広に開口した引出口を備え、前記ペーパー切断歯の近傍であって前記引出口側に、前記載置部よりもペーパーとの摺動抵抗が高い材料から成る複数の凸部が形成されていることを特徴とする。【選択図】  図６
2011019598.tif 000002
【特許請求の範囲】
【請求項１】
ロールペーパーの軸心を横にした状態で載置する載置部を備え、この載置部上でロールペーパーを転動させてペーパーを繰り出し可能としたロールペーパーホルダーであって、
前記載置部は、壁面に沿って固定される固定部から前方に下り傾斜となる下降部と、この下降部の前方からのぼり傾斜となる上昇部と、前記下降部と前記上昇部との両側に形成された側壁部とを備え、
更に、前記下降部と前記上昇部との変曲位置に幅広に開口したペーパーを引出すための引出口と、この引出口よりも前方であって前記上昇部の下側面に設けられたペーパー切断歯とを備え、
前記ペーパー切断歯の近傍であって前記引出口側に、前記載置部よりもペーパーとの摺動抵抗が高い材料から成る複数の凸部が形成されていることを特徴とするロールペーパーホルダー。
【請求項２】
前記凸部は、ペーパーの繰り出し方向に沿って形成された複数の凸条であることを特徴とする請求項１記載のロールペーパーホルダー。
【請求項３】
前記凸部は、前記切断歯と一体に形成されていることを特徴とする請求項１又は請求項２記載のロールペーパーホルダー。
【発明の詳細な説明】
【技術分野】
【０００１】
本発明は、ロール状に巻回されたロールペーパーを載置し、そこから任意の量だけ引出されたペーパーを切断するためのロールペーパーホルダーに関するものであり、例えば、トイレ空間の壁面に取り付けてロールペーパーを保持・切断するのに利用可能なロールペーパーホルダーに関する発明である。
【背景技術】
【０００２】
例えば、ロールペーパーとしてトイレで利用されているロールペーパーを保持・切断するのに現在最も汎用されているものは、ロール芯を回転可能に支持しておき、そのロールペーパーの上面に揺動可能に当接している紙切板の先端に設けられた切断歯によってペーパーを切断するタイプのものである。このロール芯を回転可能に支持するタイプにおいては、紙切板の自重を増やしたりバネによって紙切板をロールペーパー上に押付けることによってロールペーパーとの当接力を増して切断性を向上させるための工夫がされているが、紙切板は、ロールペーパーに対して押さえつけられる構造であるため、切断時のみならず引出時にもロールペーパーに当接するものであり、切断時の押付け力を増そうとれば引出時の抵抗が大きくなって、ペーパーが千切れてしまい、引出性が悪くなるものであり、切断性能と引出性能の両立が難しかった。
【０００３】
そこで、ロールペーパーを載置する構成とし、引出時にロールペーパーが接触する載置部と、切断時に接触する切断部とを分離するロールペーパーホルダーが提案されている。（特許文献１，特許文献２参照）
【０００４】
これら先行特許文献に記載されているロールペーパーホルダーは、ロールを載置する載置部の底面にペーパーを引出す引出口を形成しておき、そこから手前にペーパーを引出し、載置部の前方に設けられた切断歯によってペーパーを切断する構成であり、切断性能と引出性能の両立が図りやすく、しかも、引出口と切断歯との間に残ったペーパーが次回引出時の摘み代となるため使い勝手の良いものである。
しかしながら、特許文献１や特許文献２に記載された従来の載置式のロールペーパーホルダーにおいては、切断歯の近傍にペーパーを切断歯に押付けたときにその移動を防止するために摺動抵抗の高い当接面が設けられているが、その当接面は平坦面であるため、当接面にペーパーが貼り付いてしまい、次回のペーパー引出時にはその張り付いたペーパーを引き剥がす手間が発生することがあった。
【先行技術文献】
【特許文献】
【０００５】
【特許文献１】特開平９−２８６１５号公報（図３，図４参照）
【特許文献２】特開２００６−７５５６７号公報
【発明の概要】
【発明が解決しようとする課題】
【０００６】
本発明は、上記問題を解決するためになされたもので、ペーパー切断時にペーパーが切断歯近傍の当接面に貼り付いてしまうことがなく、次回のペーパー引出しの際にペーパー端部を摘み易いロールペーパーホルダーを提供することを目的とする。
【課題を解決するための手段】
【０００７】
上記目的を達成するために請求項１記載のロールペーパーホルダーでは、ロールペーパーの軸心を横にした状態で載置する載置部を備え、この載置部上でロールペーパーを転動させてペーパーを繰り出し可能としたロールペーパーホルダーであって、前記載置部は、壁面に沿って固定される固定部から前方に下り傾斜となる下降部と、この下降部の前方からのぼり傾斜となる上昇部と、前記下降部と前記上昇部との両側に形成された側壁部とを備え、更に、前記下降部と前記上昇部との変曲位置に幅広に開口したペーパーを引出すための引出口と、この引出口よりも前方であって前記上昇部の下側面に設けられたペーパー切断歯とを備え、前記ペーパー切断歯の近傍であって前記引出口側に、前記載置部よりもペーパーとの摺動抵抗が高い材料から成る複数の凸部が形成されていることを特徴とする。
【０００８】
本発明によれば、切断後にペーパーが切断歯の近傍に当接した状態でに貼り付くことを防止して、次回引出時の摘み代を確保することができ、ペーパーの引出し操作が容易なロールペーパーホルダーを提供することができる。
【０００９】
請求項２記載のロールペーパーホルダーでは、前記凸部は、ペーパーの繰り出し方向に沿って形成された複数の凸条であることを特徴とする。
【００１０】
本発明によれば、凸部が繰り出し方向に長いため、ペーパー切断時にペーパーが幅方向にズレることを防止でき、ペーパーを確実に切断することができる。
【００１１】
請求項３記載のロールペーパーホルダーでは、前記凸部は、前記切断歯と一体に形成されていることを特徴とする。
【００１２】
本発明によれば、凸部を切断歯と一体に取付けることができ、ロールペーパーホルダーの組立が簡単である。
【発明の効果】
【００１３】
本発明のロールペーパーホルダーによれば、ペーパー切断時にペーパーが切断歯近傍に貼り付いてしまうことがなく、次回のペーパー引出しの際にペーパー端部を摘み易いロールペーパーホルダーを提供することができる。
【図面の簡単な説明】
【００１４】
【図１】本発明の第１実施形態のロールペーパーホルダーの斜視図である。
【図２】図１においてロールペーパーを除いた状態を示す図である。
【図３】図２の分解斜視図である。
【図４】図１におけるＡ−Ａ断面図である。
【図５】図１の側面図である。
【図６】図２の底面斜視図である。
【図７】図２の上面図である。
【図８】図４の引出口を拡大した図である。
【図９】図４においてロールペーパーが減少した図である。
【図１０】図４においてペーパー切断状態を示す図である。
【図１１】図１０におけるＢ−Ｂ端面図である。
【図１２】第１実施形態のロールペーパーホルダーの変形例を示す斜視図である。
【図１３】図１２におけるＣ−Ｃ断面図である。
【図１４】本発明のロールペーパーホルダーの第２実施形態を示す斜視図である。
【図１５】図１４の側面図である。
【図１６】図１４におけるＤ−Ｄ断面図である。
【発明を実施するための形態】
【００１５】
以下、本発明におけるロールペーパーホルダーの第１の実施形態について図を用いて説明する。図１は本発明の第１実施形態のロールペーパーホルダー１の斜視図である。上面が開放された箱形状のロールペーパーホルダー１にロールペーパー２の軸心を横にした状態で載置して使用される。
【００１６】
図２は、図１においてロールペーパー２を除いた状態を示す図である。ロールペーパーホルダー１の上面は、ロールペーパー２を載置するための載置部３となっている。この載置部３は、トイレ壁面Ｗに沿って固定される固定部４と、この固定部４から前方に下り傾斜となる下降部５と、下降部５の前方から手前側に上り傾斜となる上昇部６と、下降部５と前記上昇部６との両側に形成された側壁部７によって囲まれた空間である。そして、下降部５と上昇部６との変曲位置、即ち、載置部３の最下点となる位置には、ロールペーパー２からペーパーＰを引出すために幅広に開口した引出口８を形成している。また、引出口８よりも前方であって上昇部６の下側面に切断歯としてのペーパー切断部９を備えている。
【００１７】
図３，４を用いて更にロールペーパーホルダー１の詳細について説明する。図３は図２に示すロールペーパーホルダー１の分解斜視図であり、図４は図１におけるＡ−Ａ断面図である。この図３に示すように、ロールペーパーホルダー１は、ホルダー本体１０と、調整部材１１と、紙切板１２と、固定ねじ１３と、ねじカバー１４とから構成されている。
【００１８】
固定ねじ１３は、ホルダー本体１０のトイレ壁面Ｗに沿って固定される板状の固定部４に３箇所設けられた開口部４ａに挿入されてホルダー本体１０を壁面に固定するものであり、ねじカバー１４は、固定ねじ１３を隠すために固定部４の載置部３側に挿入固定される。
【００１９】
調整部材１１は、ホルダー本体１０の固定部４の下端から下り傾斜となるよう形成されている本体下降部５ａの上面に、前後方向にスライド可能に配置される。具体的には、ホルダー本体１０の本体下降部５ａの上方であって側壁部７の下端には、本体下降部５ａに沿ってスライド溝７ａが形成されており、このスライド溝７ａに調整部材１１がスライド可能に配置されている。そして、この調整部材１１の底面に凸設された突起（図示せず）が本体下降部５ａに凹設された凹溝５ｂに嵌り込んでおり、凹溝５ｂの形成された範囲内で前後方向にスライド可能となっている。また、凹溝５ｂには、３箇所の窪穴が形成されており、突起（図示せず）がこの窪穴に嵌まり込むことで、スライド時にクリック感を得られるようになっている。なお、調整部材１１の前端には下方に伸びる摘み部１１ａが設けられており、この摘み部１１ａを持って前後にスライド可能となっており、また、本体下降部５ａの上面には、スライド可能範囲を表示する表示部５ｃが設けられており、調整部材１１の調整が容易となるように構成されている。
【００２０】
このように、本体下降部５ａの上面に調整部材１１が重合するように配置されていることにより、調整部材１１の上面と、この調整部材１１が重合していない本体下降部５ａの上面が下降部５となり、本体下降部５ａの裏面（載置部と反対側の面）と、この本体下降部５ａと重合していない調整部材１１の裏面が下降部の底面となっている。そして、調整部材１１の前端と、上昇部６の下端との間がペーパーＰの引出口８となるものであり、調整部材１１をスライドさせることにより、引出口８の前後方向の開口長さを変更することが可能である。
【００２１】
また、ホルダー本体１０には、前傾した板状の上昇部６が一体に成形されており、この上昇部６の手前側には固定部４と平行となるように、即ち、トイレ壁面Ｗと平行となる前壁６ａが成形されている。そして、上昇部６と前壁６ａとの間には、梁部材６ｂが成形されており、前壁６ａと梁部材６ｂとの間に紙切板１２が取り付けられる。このため、上昇部６の下端から梁部材６ｂの下端を経由して前壁６ａの下端に至る面が上昇部６の底面となっている。
【００２２】
このため、図１の側面図である図５に示すように、下降部５の底面と上昇部６の底面は、固定部４側から手前側に連続して下るように傾斜しており、側壁部７の上面も下降部５の底面と上昇部６の底面の傾斜と同様に傾斜しており、側面視は略並行四辺形となっている。従って、ロールペーパーホルダー１は、全体として薄型でコンパクトに構成することができ、設置空間での干渉が少なく、固定位置の自由度が確保できる。しかも、シンプルな構造であるため意匠性も高い。さらに、正面より直接ホルダー本体１０をトイレ壁面Ｗにねじ固定できるため、施工性が向上し、ホルダー本体１０が樹脂製であっても強固に取付可能であり、ホルダー本体１０を安価に製造することが可能である。
【００２３】
また、紙切板１２は、図３の分解斜視図と底面斜視図である図６に示すように、前端のペーパー切断部９と、このペーパー切断部９の後方（引出口８側）に突出形成された複数の凸部１２ａと、この紙切板１２をホルダー本体１０に嵌め込み固定するための複数の固定突起１２ｂとから形成されている。紙切板１２の材質は、ゴム系やエラストマー樹脂他の摩擦力の大きい材料が考えられる。
【００２４】
さらに、図２の上面図である図７に示すように、上昇部６には、ロールペーパー２の転動方向Ｎに沿うように、上昇部６の上端から下端位置まで凸状部としてのリブ６ｒが複数形成されている。さらに、下降部５においても、調整部材１１の上面に凸状部としてのリブ５ｒが複数形成されている。なお、下降部５側のリブ５ｒの幅は、固定部４側よりも引出口８側の方が幅広となっている。一方、上昇部６側のリブ６ｒの幅は前後方向で同じであり、リブ５ｒの狭い部分の幅と同じである。その結果、下降部５側リブ５ｒは、上昇部６側のリブ６ｒと同じか、それよりも幅広に形成されている。
【００２５】
以上に説明してきたロールペーパーホルダー１において、図４に示すように、引出口８からみた上昇部６の傾斜角度α２は、下降部５の傾斜角度α１よりも大きく、引出口８からみた上昇部６の上端までの長さＬ２は、引出口８から下降部５の上端となる固定部４までの長さＬ１よりも短い。このことによって、引出口８が、載置部３の前後方向の長さの中心に対して手前側に位置することになるため、ロールペーパー２から引き出されるペーパーＰの引出端部が使用者に近くて見えやすい手前側となり、使用者に近い側に位置する引出口８へと挿入することができるので、ロールペーパー２をセットする作業が容易に行える。さらに、側壁部７や前壁６ａの高さを低く抑えることができる構造のため、引出口８を容易に確認することができる。さらに、載置部３は開放された空間であって、上方を閉塞するような蓋部材を有しておらず、載置部３に前記ロールペーパー２を置くだけの簡単な作業であるため、片手でも簡単にセットすることができる。
【００２６】
なお、上記した実施形態では、本体下降部５ａの上面と調整部材１１の上面が下降部５となる訳であるが、調整部材１１の上面の長さが上昇部６の長さよりも長く形成されているため、この下降部５の長さとしては、調整部材１１を最も後ろ側へスライドさせて調整部材１１と本体下降部５ａとの重合範囲が最も大きくなったとしても、引出口８からみた上昇部６の長さは、引出口８から下降部５の固定部４までの長さよりも短くなるものである。
【００２７】
以下に前記の構成を有したロールペーパーホルダー１の使用状態に基づいて、本発明をより詳細に説明する。
【００２８】
まず、ロールペーパー２をロールペーパーホルダー１にセットするときにおいて、図４に示すように、ペーパーＰの引出し端部が前記上昇部６側となるようにして引出口８に通し、載置部３にロールペーパー２をセットする訳であるが、ロールペーパー２を載置部３にセットする前に、調整部材１１に備えられている摘み部１１ａを手で掴んで固定部４側へ移動させておくと、引出口８の前後方向の開口長さが長くなり、ロールペーパー２がさらにセットしやすくなる。
【００２９】
一方、芯無しロールペーパーの場合は、芯有りのロールペーパー２よりも引出口８の開口面が狭くなるように調整部材１１を手前側に移動させて引出口８の前後方向の開口長さが短くなるようにしておく。このように調整部材１１をスライドさせて引出口８の前後方向長さを調整できる構成であるため、芯無しのロールペーパーの場合でも、引出口８からロールペーパーが落ちることがなく、載置部３は最後までペーパーを保持することができ、セットするロールペーパー２が芯有りの場合でも芯無しの場合でも使用することができる。
【００３０】
また、調整部材１１が本体下降部５ａの上に載るように重合しているので、ペーパーＰの引出時にロールペーパー２がＮの方向に転動したとしても、調整部材１１と下降部５の接続部にペーパーが引っかかることが無く、滑らかに引出すことができる。さらに、摘み部１１ａは、引出口８より後方であって、載置面３の裏側に位置するため、ロールペーパー２の転動や、ペーパーＰの引出の邪魔になることがない。なお、表示部５ｃにスライド位置をガイドしているので、使用者はロールペーパーの種類（芯の有無など）によって調整部材１１のスライド位置を適切に調整できる。
【００３１】
なお、調整部材１１を上昇部６側に形成することや、下降部５と上昇部６の両方に形成することも可能であるが、上昇部６の下端の位置が変わると、ロールペーパー２から引出されたペーパーＰとの接触位置も変わってしまい、ペーパーＰの引出し時や切断時に使用者に与える感覚が大きく変化してしまう恐れがある。よって、調整部材１１は下降部５側に形成することが好ましい。また、調整部材１１を下降部５や上昇部６に形成する以外に、上昇部６の全体を下降部５に対して前後方向にスライド可能に構成することも考えられる。
【００３２】
次に、ペーパーＰの引出し動作について説明する。載置部３にセットされたロールペーパー２から引出口８を介してペーパーＰを手前側に引出すときには、載置部３にセットされたロールペーパー２は手前側に向かうモーメントが作用するが、傾斜角度α２が大きい上昇部６によって、ロールペーパー２の手前側への移動を規制してロールペーパー２の載置部３からの飛び出しを防止しながら、傾斜角度α１が小さい下降部５によってロールペーパー２の奥側への移動をある程度許容していることで、ロールペーパー２の転動に大きな抵抗が発生せず、ペーパーＰを滑らかに引出すことが可能となる。さらに、ロールペーパー２をセットする方向が、従来のロールペーパーホルダーと変わらないので、使用者が従来のペーパーホルダーと変わらない感覚でセットすることができる。
【００３３】
また、ロールペーパー２の引出時には、図４の引出口８を拡大した図８に示すように、ロールペーパー２は、上昇部６の下端位置に形成されているリブ６ｒと接触しており、上昇部６とロールペーパー２との接触面積が減るため、引出し時に生じる摺動抵抗を低減させることができ、ペーパーＰを滑らかに引出すことができる。
【００３４】
一方、図７に示すように、下降部５においても、リブ５ｒが形成されており、リブ５ｒはリブ６ｒと同じ幅かそれよりも幅広に形成されているため、ロールペーパー２を引出し、転動するときに強く押付けられる上昇部６の摺動抵抗を低減させ、一方で、下降部５には適度な摺動抵抗を与えながらも、傾斜角度が緩やかであるため、セットしたロールペーパー２が固定部４側へ動き出すことを許容しているため、ロールペーパー２をさらに滑らかに引出すことができる。
【００３５】
さらに、下降部５に設けられたリブ５ｒは、固定部４側よりも、引出口８側の方が幅広に形成されている。そのため、図９に示すようにロールペーパー２の残量が少なくなった場合において、ロールペーパー２の径が小さくなり自重による摺動抵抗が減少しても、ロールペーパー２と下降部５との接触位置は、引出口８側に移動しており（図４参照）、ロールペーパー２とリブ５ｒとの接触面積は増加するので、接触による摺動抵抗は増加し自重による摺動抵抗の減少を打ち消すこととなり、ロールペーパー２の径が変わっても引出しによる転動時に不要な移動が発生することはなく、使用者はロールペーパー２の状態によらず常にロールペーパー２を引出やすい。
【００３６】
なお、上昇部６のリブ６ｒの幅をより狭くして、リブ６ｒの全体に亘って下降部５のリブ５ｒよりも幅が狭くなるようにしても良い。また、上昇部６のリブ６ｒと下降部５のリブ５ｒとは同じ間隔で形成されている必要はなく、下降部５のリブ５ｒをより密な間隔で形成して、ロールペーパー２との接触面積を増やして摺動抵抗を増やすようにしても良い。また、上昇部６にはリブを設けず（又は、引出口８側の一部しかリブ６ｒを設けず）、下降部５のみ全体に亘ってリブ５ｒを設けることで、上昇部６よりも下降部５の接触面積が大きくなるようにしてもよい。すなわち、ロールペーパー２は使用に伴いその径が小さく変化する訳であるが、その径変化の何れかの時期において、ロールペーパー２と接触する下降部５のリブ５ｒの幅が上昇部６のリブ６ｒの幅よりも広くなるようになっていればよい（径変化の全ての時期でそうなっていることが好ましい）。更に、下降部５に設けられた複数のリブ５ｒの幅は全て同じである必要はなく、また、上昇部６の複数のリブ６ｒの幅もそうであり、中央側を両端側よりも狭くするといった変形は可能である。以上の説明で明らかなように、本発明でいうリブの幅とは、リブ５ｒ、６ｒのひとつひとつの幅ではなく、ロールペーパー２と接触する幅方向の合計の幅を指すものである。
【００３７】
次に、引出したペーパーＰの切り取り動作について説明する。図４においてペーパー切断状態を示す図１０、及び、図１０におけるＢ−Ｂ端面図である図１１に示すように、引出されたペーパーＰを紙切板１２側へ引上げて凸部１２ａに当接させ、さらにペーパー切断面をペーパー切断部９に当接させて、ペーパーＰの先端が載置部３の上方を向くようにしてカットする。ペーパーＰは、凸部１２ａによって引出しが規制された状態でペーパー切断部９に当接するため、片手で簡単にカットすることができる。即ち、切断時において、凸部１２ａはペーパーの繰り出しを防ぐストッパーとしての機能を果たす。
【００３８】
また、紙切板１２のペーパーＰと当接する面には、図６に示すように、複数の凸部１２ａが備えられており、従って、切断時には図１１に示すように、紙切板１２の表面１２ｃとペーパーＰとの間には隙間が形成され、カットした後に当接したペーパーＰが紙切板１２の表面１２ｃに貼り付いたままとなることを防止し、ペーパーＰは下方に垂れ下がるため、次回ペーパーＰを引出すときの摘み代を確保することができる。
【００３９】
さらに、凸部１２ａは、ペーパーＰの繰り出し方向に沿って長いリブ状に形成されているため、ペーパーＰをカットするときにおいても、ペーパーＰが幅方向にずれることを防止する効果もあり、ペーパーＰをより確実にカットすることがきる。しかも、凸部１２ａは、繰り出し方向の断面が曲面となるよう突出しているため、ペーパーＰはこの曲面に倣って当接するため、ペーパーＰの切断時において、そのペーパーＰの繰り出し方向の一箇所に力が作用してペーパーＰが破れてしまうことがないように配慮されている。
【００４０】
次に本実施形態の変形例を図１２に示す。図１２はロールペーパーホルダー１に蓋部材１６を有したものである。ホルダー本体１０と蓋部材１６とは別体であって着脱可能に構成されており、上記した実施形態と同様にしてロールペーパー２をセットした上で、蓋部材１６の下端の内周面とホルダー本体１０の上端の外周面とが嵌め合わせられることで、蓋部材１６をセットする。蓋部材１６を備えることで、ロールペーパー２が露出せず、トイレ空間内の隣接する手洗器からの飛水や埃等の汚れがペーパーに付着せず衛生的である。また、外観がシンプルな箱型となるので意匠性も高い。蓋部材１６は図１２のＣ−Ｃ断面図である図１３に示すようにロールペーパー２を覆っているが、未使用のロールペーパー２であっても蓋部材１６とロールペーパー２との間には隙間が形成されるようになっており、ロールペーパー２と蓋部材１６との接触による摺動抵抗は常時発生しないものである。
【００４１】
次に、本発明の第２の実施形態について説明する。
本実施形態では、図１４及び図１５に示すように、ホルダー本体２０の側面視において、前面は壁面と平行であり、上面と底面とは壁面に対して直交するものであり、ホルダー本体２０は略長方形となっている。しかしながら、図１４のＤ−Ｄ断面図である図１６に示すように、本実施形態においても実施形態１と同様に、壁面Ｗに沿って固定される固定部２４と、固定部２４から前方に下り傾斜となる下降部２５と、下降部２５の前方から上り傾斜となる上昇部２６と、下降部２５と上昇部２６との変曲位置にペーパーを引出すために幅広に開口した引出口２８を備えている。また、引出口２８よりも前方であって上昇部２６の下側面に切断歯としてのペーパー切断部２９を備えている。その上で、外観が方形となるように形成されている。
【００４２】
このような構成とすることで、下降部２５と上昇部２６の傾斜形状を保ちながら、前記ロールペーパーホルダー１を長方形の箱型とすることができ、ロールペーパー２の引出やすさを損なわずに外観を変えることができる。
【００４３】
以上、本発明について実施形態を通して説明してきたが、本発明は上述の実施形態に限定されるものではなく、本発明の技術思想から逸脱しない範囲で適宜設計変更してもよい。
【符号の説明】
【００４４】
１・・・ロールペーパーホルダー
２・・・ロールペーパー
３、２３・・・  載置部
４、２４・・・固定部
５、２５・・・  下降部
５ｒ・・・リブ
６、２６・・・上昇部
６ｒ・・・リブ
７、２７・・・側壁部
８、２８・・・引出口
９、２９・・・ペーパー切断部（切断歯）
１０、２０・・・ホルダー本体
１１・・・調整部材
１１ａ・・・摘み部
１２・・・紙切板
１２ａ・・・凸部
１３・・・  固定ねじ
１４・・・  ねじカバー
１６・・・蓋部材
【図１】
2011019598.tif 000003
【図２】
2011019598.tif 000004
【図３】
2011019598.tif 000005
【図４】
2011019598.tif 000006
【図５】
2011019598.tif 000007
【図６】
2011019598.tif 000008
【図７】
2011019598.tif 000009
【図８】
2011019598.tif 000010
【図９】
2011019598.tif 000011
【図１０】
2011019598.tif 000012
【図１１】
2011019598.tif 000013
【図１２】
2011019598.tif 000014
【図１３】
2011019598.tif 000015
【図１４】
2011019598.tif 000016
【図１５】
2011019598.tif 000017
【図１６】
2011019598.tif 000018